(57)【要約】【課題】側面から空気を吸入して熱交換した後に天面から空気を吹き出すタイプの冷凍装置の室外ユニットにおいて、電装品箱の体積を確保しながら室外ユニットをコンパクト化しても、通風抵抗が増加するのを抑える。【解決手段】空気調和装置の室外ユニット１は、ケーシング１２の後板２４及び一対の側板２５に形成された空気吸入口２４ａ、２５ａから空気を吸入して熱交換した後に天板２２に形成された空気吸入口２２ａから空気を吹き出すタイプであり、ケーシング１２の内部に、軸流ファン１４と、電装品箱１５とを備えている。電装品箱１５は、ケーシング１２内において、軸流ファン１４の下側に設けられた第１箱部１５ａと、第１箱部１５ａの下側に設けられ第１箱部１５ａよりも平面視における面積が大きい第２箱部１５ｂとを有している。【選択図】  図３
2004156801.tif 000002
【特許請求の範囲】
【請求項１】
側面から空気を吸入して熱交換した後に天面から空気を吹き出すタイプの冷凍装置の室外ユニット（１、１０１）であって、
ケーシング（１２）と、
前記ケーシング（１２）の上部に設けられ、前記ケーシングの側面（２４ａ、２５ａ）から吸入した空気を前記ケーシングの天面（２２ａ）から吹き出す軸流ファン（１４）と、
前記ケーシング（１２）内において、前記軸流ファン（１４）の下側に設けられた第１箱部（１５ａ、１１５ａ）と、前記第１箱部（１５ａ、１１５ａ）の下側に設けられ前記第１箱部（１５ａ、１１５ａ）よりも平面視における面積が大きい第２箱部（１５ｂ、１１５ｂ）とを有する電装品箱（１５、１１５）と、
を備えた冷凍装置の室外ユニット（１、１０１）。
【請求項２】
前記ケーシング（１２）は、平面視において、略長方形状であり、
前記電装品箱（１５、１１５）は、前記ケーシングの一側面（２３）に対向するように配置されており、
前記第２箱部（１５ｂ、１１５ｂ）は、前記第１箱部（１５ａ、１１５ａ）に対して前記ケーシングの一側面（２３）の反対側に膨出するように設けられている、
請求項１に記載の冷凍装置の室外ユニット（１、１０１）。
【請求項３】
前記電装品箱（１５）は、前記第２箱部（１５ｂ）と前記第１箱部（１５ａ）との上下方向間に設けられ、前記第２箱部（１５ｂ）の上端から前記第１箱部（１５ａ）の下端に向かうにつれて平面視における面積が小さくなる傾斜部（１５ｃ）をさらに有している、請求項２に記載の冷凍装置の室外ユニット（１）。
【請求項４】
側面から空気を吸入して熱交換した後に天面から空気を吹き出すタイプの冷凍装置の室外ユニット（１、１０１）であって、
ケーシング（１２）と、
前記ケーシング（１２）の上部に設けられ、前記ケーシングの側面（２４ａ、２５ａ）から吸入した空気を前記ケーシングの天面（２２ａ）から吹き出す軸流ファン（１４）と、
前記ケーシング（１２）内において、前記ケーシングの一側面（２３）に対向するように配置されており、前記ケーシングの一側面（２３）の反対側の部分に、前記ケーシングの側面（２４ａ、２５ａ）から吸入した空気が前記ケーシングの天面（２２ａ）に向かう流線に沿う形状を有する電装品箱（１５、１１５）と、
を備えた冷凍装置の室外ユニット（１、１０１）。
【請求項５】
前記電装品箱（１５、１１５）は、平面視において、前記ケーシングの一側面（２３）の中央から偏倚して配置されている、請求項２〜４のいずれかに記載の冷凍装置の室外ユニット（１、１０１）。
【請求項６】
前記電装品箱（１５、１１５）は、平面視において、前記軸流ファン（１４）が送風仕事を行う部分に重なるように配置されている、請求項１〜５のいずれかに記載の冷凍装置の室外ユニット（１、１０１）。
【発明の詳細な説明】
【０００１】
【発明の属する技術分野】
本発明は、冷凍装置の室外ユニット、特に、側面から空気を吸入して熱交換した後に天面から空気を吹き出すタイプの冷凍装置の室外ユニットに関する。
【０００２】
【従来の技術】
冷凍装置の１つである空気調和装置における室外ユニットとして、側面から空気を吸入して熱交換した後に天面から空気を吹き出すタイプのものがある。このような室外ユニットは、ビル等の空気調和に使用されるものであり、ビルの屋上等に設置されるとともに、複数の室内ユニットに連絡配管を介して接続されている。このような室外ユニットは、略直方体形状のケーシングと、その内部に配置された圧縮機、熱交換器及び送風ファン等の機器とを備えている。ケーシングの側面には空気吸入口が設けられており、ケーシングの上部には上方に向く空気吹出口が設けられている。具体的には、空気吸入口は、ケーシングの前面を除いた２つの側面及び後面に設けられている。熱交換器は、空気吸入口から吸入された空気と熱交換するための機器であり、各空気吸入口に対向するようにケーシング内に配置されている。送風ファンは、熱交換器において熱交換された空気を空気吹出口から吹き出すためのプロペラファンであり、ケーシングの上部において、空気吹出口に対応するように設けられている。さらに、ケーシング内には、インバータや制御基板等の電気部品が収納された電装品箱が、前面に対向するように設けられている。より具体的には、電装品箱は、略直方体形状の箱であり、ケーシングを前面側から見た場合において、送風ファンの下側に設けられている。また、電装品箱は、ケーシングを天面側から見た場合において、両側面側に向かって細長い形状を有しており、後面側への張り出しが小さくなっている。
【０００３】
このような電装品箱を備えた室外ユニットでは、送風ファンを駆動して空気を空気吸入口から吸入し、熱交換器において空気と冷媒とを熱交換させた後、空気吹出口から空気を吹き出す。この際、送風ファンの駆動により空気吸入口から吸入されて空気吹出口から吹き出される空気は、ケーシング内部を下から上に向かって流れる（例えば、特許文献１参照。）。
【０００４】
【特許文献１】
特開平８−１２８６７８号公報（第３−４頁、第１−２図）
【０００５】
【発明が解決しようとする課題】
上記の室外ユニットは、できるだけ多くの室内ユニットの空調能力に対応できるように、大容量化が求められている。しかし、単純に、室外ユニットの大容量化させようとすると、熱交換器や送風ファンを大きくする必要があるため、室外ユニットのサイズが大きくなる。これでは、ユニット運送時の積載効率が低下する場合やビルの屋上等への運搬が困難になる場合が生じてしまう。このため、室外ユニットの大容量化とともに、コンパクト化が必要となる。特に、室外ユニットを天面から見た場合の寸法は、ユニット運送時の積載やビルの屋上等への運搬に対して影響が大きいため、室外ユニットを天面から見た場合の寸法を小さくすることが必要である。
【０００６】
しかし、室外ユニットを天面から見た場合の寸法に制約を設けると、室外ユニットの大容量化に伴う送風ファンの大型化によって、送風ファンが送風仕事を行う部分への電装品箱の張り出しが大きくなるため、ケーシング内部を下から上に向かう空気の流れを妨げて、通風抵抗を増加させてしまう。これにより、送風ファンの送風性能の低下や騒音の増加が生じるおそれがある。
【０００７】
一方、電装品箱は、各種電気部品を全て収納しなければならないため、所定の体積を確保しておかなければならない。
本発明の課題は、側面から空気を吸入して熱交換した後に天面から空気を吹き出すタイプの冷凍装置の室外ユニットにおいて、電装品箱の体積を確保しながら室外ユニットをコンパクト化しても、通風抵抗が増加するのを抑えることにある。
【０００８】
【課題を解決するための手段】
請求項１に記載の冷凍装置の室外ユニットは、側面から空気を吸入して熱交換した後に天面から空気を吹き出すタイプの冷凍装置の室外ユニットであって、ケーシングと、軸流ファンと、電装品箱とを備えている。軸流ファンは、ケーシングの上部に設けられ、ケーシングの側面から吸入した空気をケーシングの天面から吹き出す。電装品箱は、ケーシング内において、軸流ファンの下側に設けられた第１箱部と、第１箱部の下側に設けられ第１箱部よりも平面視における面積が大きい第２箱部とを有している。
【０００９】
この室外ユニットでは、ケーシングの上部に設けられた軸流ファンを駆動すると、空気がケーシングの側面からケーシング内に吸入され、熱交換された後、ケーシングの天面から吹き出される。ここで、電装品箱は、軸流ファンの下側を第１箱部にしているため、軸流ファン近傍の通風抵抗に対する影響が大きい位置における空気の流路が確保されており、通風抵抗の増加が抑えられている。さらに、電装品箱は、第１箱部の下側、すなわち、軸流ファンから遠い位置に第２箱部にしているため、各種電気部品を収納するのに必要な体積が確保されている。
【００１０】
このように、この室外ユニットでは、電装品箱の体積を確保しつつ、軸流ファンに近い位置における空気の流路を広くすることで空気の流れを妨げないようにして、室外ユニット内の空気の通風抵抗の増加を抑えることができる。
請求項２に記載の冷凍装置の室外ユニットは、請求項１において、ケーシングは、平面視において、略長方形状である。電装品箱は、ケーシングの一側面に対向するように配置されている。第２箱部は、第１箱部に対してケーシングの一側面の反対側に膨出するように設けられている。
【００１１】
この室外ユニットでは、電装品箱がケーシングの一側面に対向するように配置されるとともに、第２箱部がケーシングの一側面の反対側に膨出するように設けられているため、ケーシングの一側面側から電装品箱に容易にアクセス可能である。これにより、室外ユニットの組立性や現地施工時の作業性を向上できる。
請求項３に記載の冷凍装置の室外ユニットは、請求項２において、電装品箱は、傾斜部をさらに有している。傾斜部は、第２箱部と第１箱部との上下方向間に設けられ、第２箱部の上端から第１箱部の下端に向かうにつれて平面視における面積が小さくなっている。
【００１２】
この室外ユニットでは、電装品箱が第２箱部と第１箱部との間に傾斜部をさらに有しているため、ケーシングの側面から吸入された空気をスムーズにケーシングの天面に向けて流すことができる。これにより、室外ユニット内の空気の通風抵抗の増加を抑えることができる。
請求項４に記載の冷凍装置の室外ユニットは、側面から空気を吸入して熱交換した後に天面から空気を吹き出すタイプの冷凍装置の室外ユニットであって、
ケーシングと、軸流ファンと、電装品箱とを備えている。軸流ファンは、ケーシングの上部に設けられ、ケーシングの側面から吸入した空気をケーシングの天面から吹き出す。電装品箱は、ケーシング内において、ケーシングの一側面に対向するように配置されており、ケーシングの一側面の反対側の部分に、ケーシングの側面から吸入した空気がケーシングの天面に向かう流線に沿う形状を有している。
【００１３】
この室外ユニットでは、ケーシングの上部に設けられた軸流ファンを駆動すると、空気がケーシングの側面からケーシング内に吸入され、熱交換された後、ケーシングの天面から吹き出される。ここで、電装品箱は、ケーシングの一側面に対向するように配置されるとともに、ケーシングの一側面の反対側の部分にケーシングの側面から吸入した空気がケーシングの天面に向かう流線に沿う形状を有しているため、ケーシングの側面から吸入された空気をスムーズにケーシングの天面に向けて流すことができる。
【００１４】
このように、この室外ユニットでは、電装品箱がケーシングの側面から天面に向かって流れる空気の流れを妨げないようにしているため、室外ユニット内の空気の通風抵抗の増加を抑えることができる。
請求項５に記載の冷凍装置の室外ユニットは、請求項２〜４のいずれかにおいて、電装品箱は、平面視において、ケーシングの一側面の中央から偏倚して配置されている。
【００１５】
この室外ユニットでは、電装品箱がケーシングの一側面の中央から偏倚して配置されているため、軸流ファン近傍の通風抵抗に対する影響が大きい位置における空気の流路が確保され易くなり、通風抵抗の増加がさらに抑えられる。
請求項６に記載の冷凍装置の室外ユニットは、請求項１〜５のいずれかにおいて、電装品箱は、平面視において、軸流ファンが送風仕事を行う部分に重なるように配置されている。
【００１６】
この室外ユニットでは、電装品箱がケーシングの平面視において、軸流ファンが送風仕事を行う部分に重なるように配置されている。このように、電装品箱が軸流ファンの送風仕事を行う部分に重なっていても、電装品箱が第１箱部と第２箱部とから構成されているため、軸流ファン近傍の重なり部分の面積を極力小さくできる。特に、通風抵抗に対する影響の大きい軸流ファンの外周近傍の部分における重なり部分を小さくすることができるため、より効果的に、室外ユニット内の空気の通風抵抗の増加を抑えることができる。
【００１７】
【発明の実施の形態】
以下、本発明の実施形態を図面に基づいて説明する。
（１）室外ユニットの構成
図１に本発明の一実施形態にかかる冷凍装置の１つである空気調和装置の室外ユニット１を示す。室外ユニット１は、マルチタイプの空気調和装置を構成しており、ビルの屋上等に設置されるとともに、複数の室外ユニットに連絡配管を介して接続されている。
【００１８】
室外ユニット１は、側面から空気を吸入して熱交換した後に天面から空気を吹き出すタイプであり、ケーシング１２と、ケーシング１２の内部に収納された室外側冷媒回路１３と、ケーシング１２の上部に設けられた軸流ファン１４と、ケーシング１２の内部に収納された電装品箱１５とを備えている。
ケーシング１２は、略直方体形状であり、主に、４つの角部にそれぞれ配置された支柱２１と、天板２２と、前板２３と、後板２４と、１対の側板２５と、底板２６とから構成されている。
【００１９】
支柱２１は、ケーシング１２の各角部の上端から下端まで延びる柱状の部材であり、天板２２、前板２３、後板２４、１対の側板２５及び底板２６を固定・支持している。
天板２２は、中央に設けられた開口からなる空気吹出口２２ａ（天面）を有しており、開口の上部を覆うようにファングリル２２ｂが設けられている。そして、ケーシング１２内に吸入された空気は、空気吹出口２２ａから上方に向かって吹き出されるようになっている。
【００２０】
前板２３は、本実施形態において、天板２２の下側に配置される上部前板２３ａと、上部前板２３ａの下側に配置される中部前板２３ｂと、中部前板２３ｂの下側に配置される下部前板２３ｃとから構成されている。このように、前板２３は、上中下３分割の構造になっている。
後板２４は、ケーシング１２内に空気を吸入するための空気吸入口２４ａを有している。本実施形態において、空気吸入口２４ａは、詳細は図示しないが、ほぼ全面に設けられた開口からなる。１対の側板２５は、ケーシング１２内に空気を吸入するための空気吸入口２５ａを有している。本実施形態において、空気吸入口２５ａは、前板２３近傍を除く面に設けられた開口からなる。これらの空気吸入口２４ａ、２５ａによって、ケーシング１２内に空気が吸入されるようになっている。
【００２１】
底板２６は、室外側冷媒回路１３を構成する機器及び配管類を支持・固定している。また、底板２６は、据付面との間にスペースができるように、４つの支柱２１に支持されている。
室外側冷媒回路１３は、圧縮機１３ａ、熱交換器１３ｂ等及びこれらの機器を接続する配管類から構成されている。圧縮機１３ａや熱交換器１３ｂ等の主要な機器は、底板２６に固定されている。すなわち、室外側冷媒回路１３を構成する機器及び配管類は、主として、ケーシング１２の下部に配置されている。熱交換器１３ｂは、略Ｕ字形状であり、３つの空気吸入口２４ａ、２５ａに対向するように配置されている。熱交換器１３ｂは、空気吸入口２４ａ、２５ａから吸入された空気と冷媒とを熱交換させることが可能である。
【００２２】
軸流ファン１４は、プロペラファンであり、ケーシング１２の上部において、空気吹出口２２ａに対応するように配置されている。軸流ファン１４は、複数のプロペラ翼１４ａと、プロペラ翼１４ａの内周部を固定するハブ１４ｂと、ハブ１４ｂを回転駆動するファンモータ１４ｃとを有している。ファンモータ１４ｃは、図示しない支持フレームを介して、ケーシング１２に固定されている。より具体的には、軸流ファン１４は、上部前板２３ａの上下方向位置に対応する位置に配置されている。これにより、軸流ファン１４は、空気吸入口２４ａ、２５ａを通じて、室外空気をケーシング１２の側面からケーシング１２の内部に吸入して、熱交換器１３ｂを通過させた後、ケーシング１２の上部に導いて空気吹出口２２ａから吹き出すことが可能である。
【００２３】
電装品箱１５は、インバータや制御基板等の電気部品が収納された箱体であり、前板２３に対向するように配置されている。より具体的には、電装品箱１５は、室外側冷媒回路１３を構成する多くの機器及び配管類が配置されたケーシング１２の下部を避けて、中部前板２３ｂに対向するように配置されている。すなわち、電装品箱１５は、軸流ファン１４の下側であって、下部前板２３ｃよりも上側に配置されている。
【００２４】
この電装品箱１５について、図２及び図３を用いて詳細に説明する。ここで、図２は、室外ユニット１を図１のＡ方向から見た図であって、天板２２のファングリル２２ｂを除いて示した図である。図３は、室外ユニット１を図１のＢ方向から見た図であって、圧縮機１３ａ等を除いたケーシング１２の内部断面を示した図である。
【００２５】
電装品箱１５は、図２に示されるように、軸流ファン１４に下側に設けられた第１箱部１５ａと、第１箱部１５ａの下側に設けられ第１箱部１５ａの平面視における面積Ｓａよりも大きい面積Ｓｂを有する第２箱部１５ｂとを有している。より具体的には、第１箱部１５ａは、平面視における寸法が幅Ｗａ及び長さＬａを有する部分である。第２箱部１５ｂは、平面視における寸法が幅Ｗｂ及び長さＬｂを有する部分である。ここで、幅Ｗｂは、幅Ｗａと同じ長さである。長さＬｂは、長さＬａよりも長くなっており、第２箱部１５ｂが第１箱部１５ａに比べて後板２４側に膨出している。
【００２６】
また、電装品箱１５は、平面視において、軸流ファン１４の送風仕事を行う部分に重なるように配置されている。ここで、軸流ファン１４の送風仕事を行う部分とは、軸流ファン１４の運転時にプロペラ翼１４ａが通過する部分をいい、軸流ファン１４の回転中心Ｏからプロペラ翼１４ａの外周端までの半径Ｒの円領域からハブ１４ｂの半径ｒの円領域を除いた環状の領域Ｔをいう。
【００２７】
さらに、電装品箱１５は、前板２３の中央（具体的には、図２の中央線Ｏ−Ｐ）から偏倚して配置されている。本実施形態では、前板２３の中央線Ｏ−Ｐの右方向に偏倚し、ケーシング１２の角部近くに配置されている。
電装品箱１５は、図３に示されるように、側面視において、第２箱部１５ｂと第１箱部１５ａとの上下方向間に設けられ、第２箱部１５ｂの上端から第１箱部１５ａの下端に向かうにつれて、平面視における面積が小さくなる傾斜部１５ｃをさらに有している。このため、電装品箱１５は、後板２４側の部分に、ケーシング１２の側面の空気吸入口２４ａ、２５ａから吸入された空気がケーシング１２の空気吹出口２２ａに向かう流線Ｃに沿う形状を有しているともいえる。
【００２８】
このように、電装品箱１５では、従来品のような前板２３のほぼ全面に対応する幅を有する横長の電装品箱に比べて、やや後板２４側への張り出しが大きくなるが、第１箱部１５ａの下側に第２箱部１５ｂを形成することによって、各種電気部品を収納するのに必要な体積が確保されている。
（２）室外ユニットの動作
次に、室外ユニット１の動作について、図３を用いて説明する。
【００２９】
室外ユニット１の運転中は、軸流ファン１４が駆動されることにより、空気吸入口２４ａ、２５ａを介して、ケーシング１２の側面から内部に空気が吸入される。ケーシング１２内に吸入された空気は、空気吸入口２４ａ、２５ａに対向して設けられた熱交換器１３ｂを通過して熱交換される。熱交換された空気は、上方に向かって流れ、軸流ファン１４のプロペラ翼１４ａによって上方に掻き出されて、空気吹出口２２ａから吹き出す。このため、ケーシング１２内に吸入された空気は、熱交換器１３ｂを通過した後、ケーシング内部に向かうとともに、上方の空気吹出口２２ａに向かうような流線を描いて流れている。例えば、電装品箱１５の後板２４側の部分近くには、流線Ｃのような空気の流れが生じている。
【００３０】
ここで、電装品箱１５は、軸流ファン１４近傍に形成された第１箱部１５ａを有しているため、軸流ファン１４近傍の通風抵抗に対する影響が大きい位置における空気の流路が確保されており、通風抵抗の増加が抑えられている。さらに、第２箱部１５ｂと第１箱部１５ａとの上下方向間には、傾斜部１５ｃが形成されており、ケーシング１２の側面の空気吸入口２４ａ、２５ａから吸入された空気がケーシング１２の空気吹出口２２ａに向かう流線Ｃに沿う面を構成している。これにより、流線Ｃに沿って流れる空気を上方に向けてスムーズに流すことが可能である。
【００３１】
（３）室外ユニットの特徴
本実施形態の室外ユニット１には、以下のような特徴がある。
▲１▼室外ユニット１では、軸流ファン１４を駆動すると、空気が空気吸入口２４ａ、２５ａからケーシング１２内に吸入され、熱交換された後、空気吹出口２２ａから吹き出される。ここで、電装品箱１５は、軸流ファン１４の下側を第１箱部１５ａにしているため、軸流ファン１４近傍の通風抵抗に対する影響が大きい位置における空気の流路が確保されており、通風抵抗の増加が抑えられている。さらに、電装品箱１５は、第１箱部１５ａの下側、すなわち、軸流ファン１４から遠い位置に第２箱部１５ｂにしているため、各種電気部品を収納するのに必要な体積が確保されている。
【００３２】
このように、本実施形態の室外ユニット１では、電装品箱１５の体積を確保しつつ、軸流ファン１４に近い位置における空気の流路を広くすることで空気の流れを妨げないようにして、室外ユニット内の空気の通風抵抗の増加を抑えることができる。これにより、軸流ファン１４のファンモータ１４ｃの小容量化や機内騒音の低下にも寄与できる。
【００３３】
▲２▼室外ユニット１では、電装品箱１５が第２箱部１５ｂと第１箱部１５ａとの間に傾斜部１５ｃを有している。このため、電装品箱１５には、ケーシング１２の前板２３に対向するように配置されるとともに、後板２４側の部分に流線Ｃ（空気吸入口２４ａ、２５ａから吸入した空気が空気吹出口２２ａに向かう流線）に沿う形状が形成されている。これにより、ケーシング１２の空気吸入口２４ａ、２５ａから吸入されて流線Ｃに沿って空気吹出口２２ａに向かう空気をスムーズに流すことができる。これにより、室外ユニット１内の空気の通風抵抗の増加を抑えることができる。
【００３４】
▲３▼室外ユニット１では、電装品箱１５がケーシング１２の前板２３の中央線Ｏ−Ｐから偏倚して配置されているため、軸流ファン１４近傍の通風抵抗に対する影響が大きい位置における空気の流路が確保され易くなり、通風抵抗の増加がさらに抑えられる。
▲４▼室外ユニット１では、電装品箱１５がケーシング１２の平面視において、軸流ファン１４が送風仕事を行う部分に重なるように配置されている。このように、電装品箱１５が軸流ファン１４の送風仕事を行う部分（領域Ｔ）に重なっているにもかかわらず、電装品箱１５が第１箱部１５ａと第２箱部１５ｂとから構成されているため、軸流ファン１４近傍の重なり部分（面積Ｓａと領域Ｔとが重なる部分）の面積が小さくなっている。特に、電装品箱１５は、従来品のような前板２３のほぼ全面に対応する幅を有する横長の電装品箱に比べて横幅が小さいため、通風抵抗に対する影響の大きい軸流ファン１４の外周近傍の部分における重なり部分を小さくすることが可能になっている。これにより、室外ユニット１内の空気の通風抵抗の増加を効果的に抑えることができる。
【００３５】
▲５▼室外ユニット１では、電装品箱１５がケーシング１２の前板２３に対向するように配置されるとともに、第２箱部１５ｂがケーシング１２の後板２４側に膨出するように設けられているため、ケーシング１２の前板２３側から電装品箱１５に容易にアクセス可能である。これにより、室外ユニット１の組立性や現地施工時の作業性を向上できる。
【００３６】
（４）変形例
電装品箱１５を図４に示すような形状を有する電装品箱１１５に変更した室外ユニット１０１にしてもよい。具体的には、電装品箱１１５には、第１箱部１１５ａと第２箱部１１５ｂとの上下方向間に、傾斜部１５ｃの代わりに、第１箱部１１５ａの長さＬａよりも小さい長さＬｃを有する凹部１１５ｃが形成されている。
【００３７】
このような電装品箱１１５を採用しても、概ね空気の流線Ｃに沿った形状は維持されるため、室外ユニット１と同様、室外ユニット１０１内の空気の通風抵抗の増加を抑えることができる。
（５）他の実施形態
以上、本発明の実施形態について図面に基づいて説明したが、具体的な構成は、これらの実施形態に限られるものではなく、発明の要旨を逸脱しない範囲で変更可能である。
【００３８】
▲１▼軸流ファンの台数やケーシングの形状は、前記実施形態に限定されず、複数の軸流ファンが配置された室外ユニット等にも適用可能である。
▲２▼電装品箱の後板２４側の部分の形状は、前記実施形態に限定されず、空気の流線に沿った形状を有していればよい。
【００３９】
【発明の効果】
以上の説明に述べたように、本発明によれば、以下の効果が得られる。
請求項１にかかる発明では、室外ユニットの電装品箱が軸流ファンの下側に設けられた第１箱部と、第１箱部の下側に設けられ第１箱部よりも平面視における面積が大きい第２箱部とを有しているため、電装品箱の体積を確保しつつ、軸流ファンに近い位置における空気の流路を広くすることで空気の流れを妨げないようにして、室外ユニット内の空気の通風抵抗の増加を抑えることができる。
【００４０】
請求項２にかかる発明では、電装品箱がケーシングの一側面に対向するように配置されるとともに、第２箱部がケーシングの一側面の反対側に膨出するように設けられているため、ケーシングの一側面側から電装品箱に容易にアクセス可能である。
請求項３にかかる発明では、電装品箱が第２箱部と第１箱部との間に傾斜部をさらに有しているため、ケーシングの側面から吸入された空気をスムーズにケーシングの天面に向けて流すことができる。
【００４１】
請求項４にかかる発明では、電装品箱は、ケーシングの一側面に対向するように配置されるとともに、ケーシングの一側面の反対側の部分に、ケーシングの側面から吸入した空気がケーシングの天面に向かう流線に沿う形状を有しているため、ケーシングの側面から吸入された空気をスムーズにケーシングの天面に向かって流すことができて、室外ユニット内の空気の通風抵抗の増加を抑えることができる。
【００４２】
請求項５にかかる発明では、電装品箱がケーシングの一側面の中央から偏倚して配置されているため、軸流ファン近傍の通風抵抗に対する影響が大きい位置における空気の流路が確保され易くなり、通風抵抗の増加がさらに抑えられる。
請求項６にかかる発明では、室外ユニットのケーシングの平面視において、電装品箱が軸流ファンが送風仕事を行う部分に重なるように配置されていても、電装品箱が第１箱部と第２箱部とから構成されているため、特に、通風抵抗に対する影響の大きい軸流ファンの外周近傍の部分における重なり部分を小さくすることができて、室外ユニット内の空気の通風抵抗の増加を効果的に抑えることができる。
【図面の簡単な説明】
【図１】本発明の一実施形態の空気調和装置の室外ユニットの概略斜視図。
【図２】図１をＡ方向から見た図であって、天板のファングリルを除いて示した図。
【図３】図１をＢ方向から見た図であって、ケーシングの内部断面を示した図。
【図４】室外ユニットの変形例であって、図３に相当する図。
【符号の説明】
１、１０１      室外ユニット
１２              ケーシング
１４              軸流ファン
１５、１１５      電装品箱
１５ａ、１１５ａ  第１箱部
１５ｂ、１１５ｂ  第２箱部
１５ｃ            傾斜部
２２ａ            空気吹出口（ケーシングの天面）
２３              前板（ケーシングの一側面）
２４ａ、２５ａ    空気吸入口（ケーシングの側面）
【図１】
2004156801.tif 000003
【図２】
2004156801.tif 000004
【図３】
2004156801.tif 000005
【図４】
2004156801.tif 000006